(57)【特許請求の範囲】
【請求項１】
表ケーシングと裏ケーシングとを合体させて形成される内部に制御基板を収容した制 御基板ボックスと、
前記表ケーシングと裏ケーシングとに跨って貼着された封印紙と、
を備える遊技機において、
前記表ケーシングと前記裏ケーシングの前記封印紙の貼着面のそれぞれには、前記表 ケーシングと前記裏ケーシングとを合体させた場合に当該表ケーシングと裏ケーシング とによって突部を形成する小突部が設けられ、
前記封印紙には前記突部が貫通可能な孔が形成され、
該孔に前記突部を貫通させて前記封印紙を前記貼り付け面に貼り付けたことを特徴と する遊技機。
【請求項２】
前記突部が複数箇所に形成されるよう、前記表ケーシングと前記裏ケーシングのそれ ぞれ複数箇所に小突部が設けられていることを特徴とする請求項１記載の遊技機。
【発明の詳細な説明】
【技術分野】
【０００１】
本発明は、封印紙貼着構造に関し、特に、遊技機の制御基板ボックスなどに使
用して好適な封印紙貼着構造に関する。
【背景技術】
【０００２】
従来、特公平５−７６８７８号公報などに開示された遊技機の制御基板ボック
スでは、図１４に示すように一対のケーシング１，２を合体せしめて形成され、
内部に制御基板３を収容している。一対のケーシング１，２はそれぞれ略浅箱形
に形成され、それぞれの側壁１ａ，２ａが隣接して当該筺体の側壁４を形成して
いる。この側壁４は平坦であり、封印紙５は当該側壁上にて両方の隣接面に跨る
ように貼着されている。すなわち、当該側壁４が封印紙５の貼着面となっている
。
【発明の開示】
【発明が解決しようとする課題】
【０００３】
上述した従来の封印紙貼着構造においては、封印紙５の貼着面は平坦であるた
め、剃刀の刃などを貼着面に対して斜めに当接させ、封印紙５と貼着面との間に
滑り込ませていくと、封印紙５を破ることなく剥がせてしまい、封印紙５の役目
を果たさないことがあるという課題があった。
本発明は、上記課題にかんがみてなされたもので、封印紙を剥がしにくくする
ことが可能な封印紙貼着構造の提供を目的とする。
【課題を解決するための手段】
【０００４】
上記目的を達成するため、請求項１にかかる発明は、開閉可能なケーシングに
おける互いの隣接面に跨って封印紙を貼着する封印紙貼着構造であって、封印紙
の貼着面に突部を形成した構成としてある。
【０００５】
上記のように構成した請求項１にかかる発明においては、封印紙の貼着面には
突部が形成されているため、剃刀の刃を斜めに当接させて滑り込ませようとした
ときに、同突部に突き当たってしまう。
【発明の効果】
【０００６】
以上説明したように本発明は、剃刀の刃などを貼着面と封印紙との間に滑り込
ませようとしても突部に突き当たってしまうようにしたため、封印紙を破ること
なく剥がすことを防止することが可能な封印紙貼着構造を提供することができる
。
【発明を実施するための最良の形態】
【０００７】
以下、図面にもとづいて本発明の実施形態を説明する。
図１は、本発明の一実施形態にかかる封印紙貼着構造を適用した遊技機用制御
基板ボックスを分解斜視図により示しており、図２は同遊技機用制御基板ボック
スにて制御される遊技機を正面図により示しており、図３は同遊技機用制御基板
ボックスの収容状態を遊技機の背面図により示している。
【０００８】
同図において、パチンコ遊技機１０は遊技盤１１の中央に可変表示器付入賞装
置１２を備えており、同入賞装置１２のディジタル可変表示器１３をはじめとし
て各種の電気機器を制御するために機構板２０の背面に制御基板ボックス３０を
備えている。制御器板ボックス３０はそれぞれ一面を開口させた浅箱形の樹脂か
らなる表ケーシング３１と裏ケーシング３２とを対面させ、間に制御基板３３を
収容してネジ止め固定して形成されている。
【０００９】
本実施形態においては、封印紙貼着構造が適用される対象をパチンコ遊技機１
０の制御基板ボックス３０としているが、封印紙を貼着せしめて開閉を規制する
ような対象物であれば特に限定されるものではない、従って、パチンコ遊技機１
０に限らずスロットマシンのような他の遊技機の封印部に適用したり、あるいは
、制御基板ボックス３０以外の他の封印部、例えば電気メータやガスメータなど
に適用したりすることもできる。むろん、樹脂にて形成されている場合に限らず
、金属製のケーシングの場合であっても適用可能であるし、一方が樹脂で形成さ
れて他方が金属で形成されている場合であっても適用可能である。
【００１０】
制御基板ボックス３０は、天井面と底面、正面と背面、および両側面が互いに
平行となる矩形箱形に形成され、上面と下面には二ヶ所ずつ凸部４１，４２が形
成されている。各凸部４１，４２はそれぞれ表ケーシング３１と裏ケーシング３
２の側にて対称に形成された角形の台部４１ａ，４１ｂ，４２ａ，４２ｂが表裏
方向に連続するように並んで形成されており、両ケーシング３１，３２の隣接面
に突部４０が形成されたことになる。図４及び図５に示すように、封印紙５０は
、この突部４０を含めてケーシング３１，３２の隣接面に貼着される。この意味
でケーシング３１，３２の隣接面が封印紙５０の貼着面を構成する。
【００１１】
本実施形態においては、封印紙５０が貼着される面そのものに突部４０を形成
しているが、封印紙５０の貼着面に沿って剃刀などの刃を滑らせようとしたとき
に同突部４０にぶつかるように突部が形成されていればよい。
例えば、上述した実施形態においては、凸部４１，４２は角形の台部４１ａ，
４１ｂ，４２ａ，４２ｂが表裏方向に連続するように並んで形成されているが、
必ずしも角形である必要はなく、図６や図７に示すように、蒲鉾形のように表面
が曲面をなす台部４３ａ，４３ｂを表ケーシング３１と裏ケーシング３２の隣接
面にて表裏方向に連続するように並んで形成しておいてもよい。角形のものでは
角部に剃刀の刃などが食い込みやすく滑らし難いが、曲面の場合も曲面に沿って
滑らすのが難しく、剥がし難いという効果がある。なお、封印紙５０は制御基板
ボックス３０におけるケーシング３１，３２の平坦な側壁面に貼着される場合に
限らず、例えば、図８に示すように面と面とが接する角部に対して貼着されるも
のであっても良い。
【００１２】
また、貼着面とは必ずしも封印紙５０と直に接する部位だけでなく、その周縁
の面を含むものである。例えば、図９に示すように、表ケーシング３１と裏ケー
シング３２の隣接面に封印紙５０の外縁を取り囲むように連続した突部４４を構
成する枠状のリブ４４ａ，４４ｂを形成しておき、当該表ケーシング３１と裏ケ
ーシング３２とを合体させたときには図１０に示すように封印紙５０の貼着部位
の外周を取り囲むようにしてもよい。
【００１３】
この場合、貼着部位自体は平面であるものの、貼着面としては封印紙５０の全
周囲にリブ４４ａ，４４ｂからなる突部４０が形成されており、封印紙５０と貼
着面の間に剃刀の刃などを滑り込ませる余地がない。
さらには、貼着面に突部を形成するだけではなく、封印紙の側にもこれと共同
して剥がし難くするようにしておいても良い。例えば、図１１に示す実施形態に
おいては、表ケーシング３１と裏ケーシング３２とによって隣接部位に跨るよう
に小突起（突部）４５，４５を形成せしめ、封印紙５０には同小突起４５，４５
が貫通可能な孔５１，５１を形成してある。図１２に示すように表ケーシング３
１と裏ケーシング３２とを合体せしめつつ小突起４５，４５が同孔５１，５１に
入り込むようにして封印紙５０を貼着せしめれば、封印紙５０と貼着面の間に剃
刀の刃などを滑り込ませていっても途中で小突起４５，４５に突き当たって進め
なくなる。特に、本実施形態のように突部を二つ作っておけば、周縁を回り込ま
せて剥がすこともできなくなる。なお、このような突部の間の隙間は狭くなるほ
ど剃刀の刃などを挿入し難くなるので、図示するものよりもさらに狭くして実施
するのが好ましい。
【００１４】
そして、図１３に示す実施形態においては、封印紙５０の貼着部位の周縁を取
り囲んで複数の突起（突部）４６を形成している。このような突起４６は封印紙
５０の剥離防止のための専用品である必要はなく、他の機能を兼ね備えつつ封印
紙５０の貼着部位に隣接していくつか形成されていることにより、上述したよう
にして剃刀の刃などを滑り込ませていくことが困難になる。
このように、パチンコ遊技機１０における制御基板ボックス３０のように開閉
可能な表ケーシング３１と裏ケーシング３２における互いの隣接面に跨って封印
紙５０を貼着するものにおいて、同封印紙５０の貼着面には突部４０を形成して
いるため、同突部４０が貼着部位そのものとなる場合や、封印紙５０を外縁から
取り囲む場合や、封印紙５０を貫通して突き出る場合などを含め、剃刀の刃など
を貼着面との間に滑り込ませようとしても同突部４０に突き当たり、剥がすこと
ができなくなる。
【図面の簡単な説明】
【００１５】
【図１】本発明の一実施形態にかかる封印紙貼着構造を適用した遊技機用制御基板ボックスの分解斜視図である。
【図２】同遊技機用制御基板ボックスにて制御される遊技機の正面図である。
【図３】同遊技機用制御基板ボックスの収容状態を示す遊技機の背面図である。
【図４】遊技機用制御基板ボックスに封印紙を貼着した状態の斜視図である。
【図５】遊技機用制御基板ボックスに封印紙を貼着した状態の上面図である。
【図６】変形例にかかる封印紙貼着構造を適用した遊技機用制御基板ボックスの上部部分斜視図である。
【図７】他の変形例にかかる封印紙貼着構造を適用した遊技機用制御基板ボックスの上部部分斜視図である。
【図８】他の遊技機用制御基板ボックスに適用した封印紙貼着構造を示す斜視図である。
【図９】他の変形例にかかる封印紙貼着構造を適用した遊技機用制御基板ボックスの上部分解斜視図である。
【図１０】同封印紙貼着構造を適用した遊技機用制御基板ボックスの上部部分斜視図である。
【図１１】他の変形例にかかる封印紙貼着構造を適用した遊技機用制御基板ボックスの上部分解斜視図である。
【図１２】同封印紙貼着構造を適用した遊技機用制御基板ボックスの上部部分斜視図である。
【図１３】他の変形例にかかる封印紙貼着構造を適用した遊技機用制御基板ボックスの上部部分斜視図である。
【図１４】従来の封印紙貼着構造を適用したパチンコ遊技機用の制御基板ボックスの斜視図である。
【符号の説明】
【００１６】
３０…制御基板ボックス
３１…表ケーシング
３２…裏ケーシング
４０…突部
４１，４２，４４…凸部
４１ａ，４１ｂ，４２ａ，４２ｂ…台部
４３ａ，４３ｂ…台部
４４ａ，４４ｂ…リブ
４５，４５…小突起
４６…突起
５０…封印紙
５１…孔
【図１】
0004605167.tif 000002
【図２】
0004605167.tif 000003
【図３】
0004605167.tif 000004
【図４】
0004605167.tif 000005
【図５】
0004605167.tif 000006
【図６】
0004605167.tif 000007
【図７】
0004605167.tif 000008
【図８】
0004605167.tif 000009
【図９】
0004605167.tif 000010
【図１０】
0004605167.tif 000011
【図１１】
0004605167.tif 000012
【図１２】
0004605167.tif 000013
【図１３】
0004605167.tif 000014
【図１４】
0004605167.tif 000015